(57)【要約】【課題】確実にシートに片を巻き付ける。【解決手段】巻き具７０が、孔１１を有するシート１０に片２０を巻き付ける際に、先端７０ａが片２０を押しながらシート１０の端部側からシート１０の孔１１まで移動するように回動することで、孔１１を有するシート１０の一方の面１０ａに取り付けられた片２０を、シート１０の一方の面１０ａから他方の面１０ｂに巻き付けて、シート１０の他方の面１０ｂから孔１１に挿入させて、孔１１を有するシート１０に片２０を巻き付ける。【選択図】図３
2014193610.tif 000002
【特許請求の範囲】
【請求項１】
孔を有するシートの一方の面に取り付けられた片を、該シートの一方の面から他方の面に巻き付けて、該シートの他方の面から該孔に挿入することを特徴とする片巻き装置。
【請求項２】
孔を有するシートに片を巻き付ける際に、先端が該片を押しながら該シートの端部側から該シートの孔まで移動するように回動する巻き具を備えることを特徴とする片巻き装置。
【請求項３】
上記片は、粘着層を有することを特徴とする請求項１又は請求項２に記載の片巻き装置。
【請求項４】
上記シートが位置決めされる位置決め部材を更に備えることを特徴とする請求項１乃至３の何れかに記載の片巻き装置。
【請求項５】
上記片が巻き付けられたシートを押圧する押圧部材を更に備えることを特徴とする請求項１乃至４の何れかに記載の片巻き装置。
【請求項６】
上記巻き具は、上記シートの一方の面から他方の面に移動可能に設けられ、上記シートの一方の面に取り付けられた片を、該シートの一方の面から該他方の面に巻き付けた後、上記シートの一方の面から該他方の面に移動されて、該シートの他方の面から該孔に挿入することを特徴とする請求項２乃至５の何れかに記載の片巻き装置。
【請求項７】
上記巻き具は、上記シートの一方の面から他方の面に移動可能に設けられ、上記シートの一方の面から該他方の面に移動されつつ、上記シートの一方の面に取り付けられた片を、該シートの一方の面から該他方の面に巻き付けて、該シートの他方の面から該孔に挿入することを特徴とする請求項２乃至５の何れかに記載の片巻き装置。
【請求項８】
孔を有するシートに片を巻き付ける際に、先端が該片を押しながら該シートの孔から該シートの端部側まで移動するように回動する巻き具を備えることを特徴とする片巻き装置。
【請求項９】
先端が上記片を押しながら該シートの端部側から該シートの孔まで移動するように回動する他の巻き具を更に備えることを特徴とする請求項８に記載の片巻き装置。
【発明の詳細な説明】
【技術分野】
【０００１】
本発明は、孔を有するシートに片を巻き付ける片巻き装置に関する。
【背景技術】
【０００２】
書類を綴じる際に、金属針ではなくテープで綴じる綴じ具がある（特許文献１参照）。例えば、特許文献１の綴じ具は、用紙挿入時に、用紙端部を剥離待機されたテープに押し付けて、用紙端部にテープが貼り付けられた後に、用紙に抜き刃が貫通されて、その抜き刃の引き抜きに伴い用紙端部に貼り付いているテープの端部を用紙に貫通させることで、テープで用紙を綴じることができる。
【０００３】
しかしながら、特許文献１の綴じ具は、例えば用紙が薄い場合、用紙を挿入して用紙端部を剥離待機されたテープに押し付けて用紙端部にテープを貼り付ける際に折れ曲がり、シワや傷が付いてしまい、薄い用紙には適さず、確実にテープで用紙を綴じることができない虞がある。更に、特許文献１の綴じ具は、テープが剥離されて粘着層が露出された状態で待機されているので、長期間待機された後に使用する場合、テープの粘着力が低下して、確実にテープで用紙を綴じることができない虞がある。また、抜き刃で用紙にテープを通す時、用紙にあけた穴と抜き刃の隙間は無いので、テープが積極的に用紙に押し付けられて、粘着面が用紙に貼り付こうとする。この貼付力に逆らってテープを用紙に通すため、テープを挿通する負荷が大きく、粘着面をこするため粘着力も低下する。
【先行技術文献】
【特許文献】
【０００４】
【特許文献１】特開平１０−０００８７１号公報
【発明の概要】
【発明が解決しようとする課題】
【０００５】
本発明は、以上のような問題点に鑑みてなされたものであり、確実にシートに片を巻き付けることが可能な片巻き装置を提供することを目的とする。
【課題を解決するための手段】
【０００６】
本発明に係る片巻き装置は、孔を有するシートの一方の面に取り付けられた片を、該シートの一方の面から他方の面に巻き付けて、該シートの他方の面から該孔に挿入する。
【０００７】
また、本発明に係る片巻き装置は、孔を有するシートに片を巻き付ける際に、先端が該片を押しながら該シートの端部側から該シートの孔まで移動するように回動する巻き具を備える。
【０００８】
更に、上記片は、粘着層を有するようにしても良い。
【０００９】
更に、上記シートが位置決めされる位置決め部材を更に備えるようにしても良い。
【００１０】
更に、上記片が巻き付けられたシートを押圧する押圧部材を更に備えるようにしても良い。
【００１１】
更に、上記巻き具は、上記シートの一方の面から他方の面に移動可能に設けられ、上記シートの一方の面に取り付けられた片を、該シートの一方の面から該他方の面に巻き付けた後、上記シートの一方の面から該他方の面に移動されて、該シートの他方の面から該孔に挿入するようにしても良い。
【００１２】
更に、上記巻き具は、上記シートの一方の面から他方の面に移動可能に設けられ、上記シートの一方の面から該他方の面に移動されつつ、上記シートの一方の面に取り付けられた片を、該シートの一方の面から該他方の面に巻き付けて、該シートの他方の面から該孔に挿入するようにしても良い。
【００１３】
また、本発明に係る片巻き装置は、孔を有するシートに片を巻き付ける際に、先端が該片を押しながら該シートの孔から該シートの端部側まで移動するように回動する巻き具を備える。
【００１４】
更に、先端が上記片を押しながら該シートの端部側から該シートの孔まで移動するように回動する他の巻き具を更に備えるようにしても良い。
【発明の効果】
【００１５】
本発明は、孔を有するシートに片を巻き付ける際に、巻き具の先端が片を押しながらシートの端部側からシートの孔まで移動するように、巻き具が回動されることで、シートの一方の面に取り付けられた片が、シートの一方の面から他方の面に亘って巻き付けられて、シートの他方の面から孔に挿入されて、孔を有するシートに片が巻き付けられるので、どのようなシートであっても、シワや折り曲げ傷を付けずに綺麗な仕上がりで、確実にシートに片を巻き付けることができる。また、穴を開ける手段と、穴にテープを通す手段が違うので、テープを用紙の穴に挿通する負荷が小さく、テープの粘着力も低下しない。
【図面の簡単な説明】
【００１６】
【図１】孔を有するシートに片を巻き付けた状態を示しており、（Ａ）は、シートの一方の面側からの斜視図であり、（Ｂ）は、平面図であり、（Ｃ）は、シートの他方の面側からの斜視図であり、（Ｄ）は、断面図である。
【図２】（Ａ）は帯状体を示した平面図であり、（Ｂ）は帯状体を示した断面図であり、（Ｃ）は片が台座に載置された状態を示した拡大断面図である。
【図３】巻き具を示しており、（Ａ）は待機時の状態を示した断面図であり、（Ｂ）は巻き付け時の状態を示した断面図である。
【図４】本発明を適用した片巻き装置を示した断面図である。
【図５】シートが台座に載置された状態を示した断面図である。
【図６】剥離紙から剥離された片が台座に向けて送り出された状態を示した断面図である。
【図７】巻き具によって、片の他端部が、シートの一方の面から他方の面に亘って巻き付けられて、シートの他方の面側からシートの孔に挿入された状態を示した断面図である。
【図８】巻き具が待機位置に戻された状態を示した断面図である。
【図９】片が巻き付けられたシートが引き抜かれている状態を示した断面図である。
【図１０】押圧部によってシート及び片が台座に向けて押圧されて片がシートに貼り付けられた状態を示した断面図である。
【図１１】巻き具が二部材で構成された片巻き装置の第１の変形例を示しており、（Ａ）は待機時の状態を示した断面図であり、（Ｂ）は巻き付け開始時の状態を示した断面図であり、（Ｃ）は巻き付け完了時の状態を示した断面図である。
【図１２】片巻き装置の第３の変形例を示しており、（Ａ）は待機時の状態を示した断面図であり、（Ｂ）は巻き付け時の状態を示した断面図である。
【図１３】片巻き装置の第４の変形例を示しており、（Ａ）は待機時の状態を示した断面図であり、（Ｂ）は巻き付け時の状態を示した断面図である。
【図１４】片巻き装置の第５の変形例を示しており、（Ａ）は待機時の状態を示した断面図であり、（Ｂ）は巻き付け時の状態を示した断面図である。
【図１５】第１の巻き具と第２の巻き具とによって孔を有するシートに片を巻き付ける片巻き装置の第６の変形例を示しており、（Ａ）は待機時の状態を示した断面図であり、（Ｂ）は第１の巻き具によってシートに片を巻き付けた状態を示した断面図であり、（Ｃ）は第２の巻き具によってシートに片を巻き付けた状態を示した断面図であり、（Ｄ）は（Ｂ）の変形例を示した断面図である。
【図１６】巻き具がシートの一方の面側から他方の面側に移動可能に設けられた片巻き装置の第７の変形例を示しており、（Ａ）は待機時の状態を示した断面図であり、（Ｂ）は巻き具がシートの一方の面側から他方の面側に移動された状態を示した断面図であり、（Ｃ）は巻き具によってシートに片を巻き付けた状態を示した断面図である。
【図１７】巻き具が一方の面から他方の面に移動しつつ、片をシートの一方の面から他方の面に巻き付ける片巻き装置の第７の変形例の更なる変形例を示しており、（Ａ）は待機時の状態を示した断面図であり、（Ｂ）は巻き具によってシートに片を巻き付けている状態を示した断面図であり、（Ｃ）は巻き具によってシートに片を巻き付けた状態を示した断面図である。
【図１８】先端が片を押しながらシートの孔からシートの端部側まで移動するように巻き具が回動する片巻き装置の第８の変形例を示しており、（Ａ）は待機時の状態を示した断面図であり、（Ｂ）は巻き具によってシートに片を巻き付けている状態を示した断面図であり、（Ｃ）は巻き具によってシートに片を巻き付けた状態を示した断面図である。
【図１９】回動方向が異なる巻き具と他の巻き具とを有する片巻き装置の第８の変形例の更なる変形例を示しており、（Ａ）は待機時の状態を示した断面図であり、（Ｂ）は他の巻き具によってシートに片を巻き付けている状態を示した断面図であり、（Ｃ）は巻き具によってシートに片を巻き付けている状態を示した断面図である。
【発明を実施するための形態】
【００１７】
以下、本発明を適用した片巻き装置について、図面を参照しながら詳細に説明する。なお、本発明は以下の例に限定されるものではなく、本発明の要旨を逸脱しない範囲で任意に変更可能である。
【００１８】
＜１．片巻き装置の構成の説明＞
本発明を適用した片巻き装置１は、図１（Ａ）〜図１（Ｄ）に示すように、例えば、孔１１を有するシート１０の一方の面１０ａに取り付けられた片２０を、シート１０の一方の面１０ａから他方の面１０ｂに亘って巻き付けて、シート１０の他方の面１０ｂからシート１０の孔１１に挿入することで、孔１１を有するシート１０に片２０を巻き付けるものである。
【００１９】
これにより、片巻き装置１は、孔１１を有するシート１０に片２０を巻き付けて、シート１０を片２０で綴じることができるので、例えば、シート１０を綴じる綴じ装置として用いることができる。また、片巻き装置１は、孔１１を有するシート１０に片２０を巻き付けて、シート１０の孔１１を片２０で補強することができるので、例えば、孔１１を有するシート１０に補強具（片２０）を取り付ける補強具の取付装置として用いることができる。更に、片巻き装置１は、孔１１を有するシート１０に、例えば異なる色の片２０や異なる目印を付した片２０を巻き付けることで、シート１０を片２０で識別することができる。したがって、片巻き装置１は、例えば、孔１１を有するシート１０に識別具（片２０）を取り付ける識別具の取付装置として用いることができる。
【００２０】
具体的に、片巻き装置１は、図４に示すように、シート挿入口１ａから挿入されたシート１０が他方の面３０ｂに載置される台座３０を備えている。
【００２１】
更に、片巻き装置１は、台座３０よりもシート挿入方向Ｘの奥側に配置され、シート１０の挿入端側の端部と一部が重なるように片２０を送り出す片送り出し部４０を備えている。
【００２２】
更に、片巻き装置１は、台座３０の一方の面３０ａ側に配置され、シート挿入方向Ｘの奥側に回動可能に設けられ、孔１１を有するシート１０に片２０を巻き付ける巻き具７０を備えている。
【００２３】
更に、片巻き装置１は、台座３０の他方の面３０ｂ側に配置され、巻き具７０によって片２０が巻き付けられたシート１０を押圧する押圧部８０を備えている。
【００２４】
シート１０は、図１（Ａ）〜図１（Ｄ）に示すように、書類等の用紙や、金属材料又は樹脂材料等で形成されたシート状部材等で構成されている。更に、シート１０の挿入端側の端部の近傍には、厚さ方向に貫通された孔１１が形成されている。この孔１１は、片巻き装置１にシート１０が挿入された後に図示しないパンチ部によってシート１０に形成されるパンチ穴であっても良く、片巻き装置１にシート１０が挿入される前に、別体のパンチ装置等によって予めシート１０に形成されたパンチ穴等の貫通孔であっても良い。
【００２５】
更に、シート１０には、一方の面１０ａ、挿入端側の端面１０ｃ、他方の面１０ｂ及び孔１１の孔縁端面１１ａに亘って、片２０が１周巻き付けられている。この際、シート１０は、複数枚重ねられた状態で片２０が巻き付けられるようにしても良く、一枚だけの状態で片２０が巻き付けられるようにしても良い。
【００２６】
片２０は、図２（Ａ）及び図２（Ｂ）に示すように、平面視略矩形状に形成されており、他方の面２０ｂに粘着層２１を有し、例えば、長尺な剥離紙２２に、長手方向に所定の間隔をあけて複数個仮着されている。これにより、片２０は、長期間待機された後に使用される場合であっても、粘着層２１の粘着力の低下を防止することができる。更に、片２０及び剥離紙２２で構成される帯状体２３は、例えば、ロール状に巻回されて、巻き具７０よりもシート挿入方向Ｘの奥側に設けられている帯状体収容部（不図示）に収容されている。更に、帯状体２３の片２０及び／又は剥離紙２２には、帯状体２３を送り出すための係合部材（不図示）が係合される係合孔２４が長手方向に所定の間隔をあけて複数個形成されている。
【００２７】
台座３０は、図４に示すように、例えば、板部材で構成され、シート挿入口１ａから挿入されたシート１０が他方の面３０ｂに載置される。これにより、シート１０は、高さ方向Ｚについて位置決めされる。更に、台座３０は、巻き具７０の先端７０ａに対応する位置に貫通孔３１が形成されている。
【００２８】
片送り出し部４０は、図４に示すように、台座３０よりもシート挿入方向Ｘの奥側に配置され、帯状体収容部と台座３０とを結ぶ片搬送路４１から分岐された剥離紙搬送路４２に設けられている。片送り出し部４０は、例えば、一対の搬送ローラや帯状体２３の係合孔２４に係合しつつ摺動する係合部材等で構成されている。
【００２９】
そして、片送り出し部４０は、例えば、使用者によってハンドル（不図示）が回動操作される等の機械的な駆動操作又は使用者によって操作ボタンが押圧される等して駆動モータ等の駆動部が駆動される等の電気的な駆動操作に連動して、図示しない送り出し駆動機構が駆動されると、片搬送路４１から分岐された剥離紙搬送路４２に帯状体２３を所定長さ送り出し、分岐地点において剥離紙２２から片２０を剥離して、剥離した片２０を片搬送路４１の排出口４１ａから台座３０に送り出す。具体的に、片送り出し部４０は、平面視でシート１０の挿入端側の端部と片２０の一端部が重なるように、図２（Ｃ）に示すように、片２０を、粘着層２１をシート１０側に向けて台座３０の他方の面３０ｂに載置する。更に、この際、片送り出し部４０は、片２０が剥離された剥離紙２２を、剥離紙搬送路４２と連通する剥離紙収容部（不図示）に収容する。
【００３０】
巻き具７０は、図４に示すように、台座３０の一方の面３０ａ側のシート挿入方向Ｘの奥側に配置されている。更に、巻き具７０は、幅方向Ｙにおいて、台座３０の貫通孔３１と対応するように配置されている。更に、巻き具７０は、図３（Ａ）に示すように、例えば側面視略Ｃ字状又は略Ｌ字状等、湾曲又は折り曲げられて設けられている。更に、巻き具７０は、幅方向Ｙと略平行な回転軸７１を中心に回動自在に設けられている。具体的に、巻き具７０は、先端７０ａが、図３（Ａ）に示すように、台座３０の一方の面３０ａ側に位置するように設けられた待機状態から、図３（Ａ）中の矢印Ａのように、台座３０のシート挿入方向Ｘの奥側の端部に向けて回動されて、台座３０の一方の面３０ａ側からシート挿入方向Ｘの奥側の端部を介して他方の面３０ｂ側に移動され、次いで、他方の面３０ｂ側において、台座３０のシート挿入方向Ｘの奥側の端部から台座３０の貫通孔３１まで移動するように、回動自在に設けられている。
【００３１】
そして、巻き具７０は、機械的又は電気的な駆動操作に連動して図示しない巻き具駆動機構によって、図３（Ａ）に示すように、シート１０の挿入端側の端部の一方の面１０ａに一端部が貼り付けられた片２０の他端部を先端７０ａが押しながら、その先端７０ａが、シート１０の一方の面１０ａ側からシート１０の挿入端側の端部を介して他方の面１０ｂ側に移動して、次いで、他方の面１０ｂ側において、シート１０の挿入端側の端部側からシート１０の孔１１まで移動するように回動し、図３（Ｂ）に示すように、片２０の他端部を、シート１０の一方の面１０ａから他方の面１０ｂに亘って巻き付けて、シート１０の他方の面１０ｂ側からシート１０の孔１１に挿入させる。更に、その後、巻き具７０は、図示しない巻き具駆動機構によって、逆方向に回動されて、先端７０ａが台座３０の一方の面３０ａ側に位置するような待機状態に設けられる。
【００３２】
なお、巻き具７０は、図３（Ａ）及び図３（Ｂ）に示すように、先端７０ａが台座３０の他方の面３０ｂ側から台座３０の貫通孔３１に挿入され、片２０の他端部が、シート１０の他方の面１０ｂからシート１０の孔１１に挿入された際に、巻き具７０の内周面の基端側の角部（湾曲部）の基端側押圧部７０ｂがシート１０の挿入端側の端面１０ｃと一方の面１０ａとの角部１０ｄ又はこの角部１０ｄに対応する片２０と当接し、巻き具７０の内周面の先端側の角部（湾曲部）の先端側押圧部７０ｃがシート１０の一方の面１０ａと孔１１との角部（縁部）１０ｅ又はこの角部１０ｅに対応する片２０と当接するように設けても良い。これにより、巻き具７０は、孔１１を有するシート１０に片２０を巻きつつ、巻かれた片２０を基端側押圧部７０ｂ及び先端側押圧部７０ｃによって押圧することができ、確実に片２０をシート１０に貼り付けることができる。
【００３３】
押圧部８０は、図４に示すように、台座３０の他方の面３０ｂ側のシート挿入方向Ｘの最も手前側に配置されている。押圧部８０は、例えば、台座３０に向けて付勢されたローラや弾性片で構成されている。そして、押圧部８０は、巻き具７０によって片２０が巻き付けられたシート１０がシート挿入方向Ｘの手前側に向けて引き抜かれる際に、シート１０及び片２０を台座３０に向けて押圧して、片２０をシート１０に確実に接着させる。
【００３４】
＜２．片巻き装置を用いた片巻き方法の説明＞
次に、片巻き装置１を用いて、シート１０を片２０で巻き付ける片巻き付け方法について説明する。
【００３５】
先ず、図４に示すように、片巻き装置１は、シート１０がシート挿入口１ａからシート挿入方向Ｘの奥側に向けて挿入される。すると、図５に示すように、片巻き装置１には、シート１０が台座３０の他方の面３０ｂに載置される。更に、シート１０は、台座３０によって、高さ方向Ｚについて位置決めされる。
【００３６】
次いで、片巻き装置１は、例えば、使用者によって機械的又は電気的な駆動操作が行われると、図６に示すように、片送り出し部４０によって、帯状体２３が所定長さ送り出されて、片搬送路４１と剥離紙搬送路４２との分岐地点において剥離紙２２から片２０が剥離される。そして、片巻き装置１は、図２（Ｃ）に示すように、片送り出し部４０によって、剥離紙２２から剥離された片２０が粘着層２１をシート１０側に向けて台座３０に向けて送り出されて、平面視でシート１０の挿入端側の端部と片２０の一端部とが重なるように設けられる。そして、シート１０の挿入端側の端部の一方の面１０ａが片２０と当接されて、シート１０の挿入端側の端部の一方の面１０ａに片２０の一端部が貼り付けられる。
【００３７】
次いで、図７に示すように、片巻き装置１は、巻き具７０が幅方向Ｙと略平行な回転軸７１を中心に図７中の矢印Ａ方向に回動される。この際、片巻き装置１は、シート１０の挿入端側の端部の一方の面１０ａに一端部が貼り付けられた片２０の他端部を巻き具７０の先端７０ａが押しながら、その先端７０ａが、シート１０の一方の面１０ａ側からシート１０の挿入端側の端部を介して他方の面１０ｂ側に移動して、次いで、他方の面１０ｂ側において、シート１０の挿入端側の端部側からシート１０の孔１１まで移動するように、巻き具７０が回動される。これにより、片巻き装置１は、巻き具７０によって、片２０の他端部が、シート１０の一方の面１０ａから他方の面１０ｂに亘って巻き付けられて、シート１０の他方の面１０ｂ側からシート１０の孔１１に挿入される。したがって、シート１０には、片２０が、一方の面１０ａ、挿入端側の端面１０ｃ、他方の面１０ｂ及び孔１１の孔縁端面１１ａに亘って巻き付けられる。
【００３８】
次いで、図８に示すように、片巻き装置１は、巻き具７０が、幅方向Ｙと略平行な回転軸７１を中心に図８中の矢印Ｂ方向に回動されて、先端７０ａが台座３０の一方の面３０ａ側に配置された待機位置に戻される。
【００３９】
次いで、図９に示すように、片巻き装置１は、片２０が巻き付けられたシート１０がシート挿入方向Ｘの手前側に向けて引き抜かれると、シート１０に巻き付けられている片２０の他端部が、台座３０によって、シート１０の一方の面１０ａ側に折り曲げられて巻き付けられる。そして、図１０に示すように、片巻き装置１は、シート１０の一方の面１０ａに巻き付けられている片２０上に重ねて巻き付けられる。これにより、シート１０には、一方の面１０ａ、挿入端側の端面１０ｃ、他方の面１０ｂ及び孔１１の孔縁端面１１ａに亘って、片２０が１周巻き付けられる。
【００４０】
次いで、図１０に示すように、片巻き装置１は、さらにシート１０がシート挿入方向Ｘの手前側に向けて引き抜かれると、押圧部８０によってシート１０及び片２０が台座３０に向けて押圧されて、片２０がシート１０に貼り付けられる。
【００４１】
以上のようにして、片巻き装置１は、孔１１を有するシート１０が片２０に巻き付けられる。
【００４２】
＜３．片巻き装置の作用効果の説明＞
以上のように、本発明を適用した片巻き装置１は、孔１１を有するシート１０に片２０を巻き付ける際に、巻き具７０の先端７０ａが孔１１を有するシート１０の一方の面１０ａに取り付けられた片２０を押しながら、その先端７０ａが、シート１０の一方の面１０ａ側からシート１０の挿入端側の端部を介して他方の面１０ｂ側に移動して、次いで、他方の面１０ｂ側において、シート１０の挿入端側の端部側からシート１０の孔１１まで移動するように、巻き具７０が回動されることで、孔１１を有するシート１０の一方の面１０ａに取り付けられた片２０を、シート１０の一方の面１０ａから他方の面１０ｂに亘って巻き付けて、シート１０の他方の面１０ｂ側からシート１０の孔１１に挿入して、シート１０に片２０を巻き付けるので、どのようなシートであっても、シワや折り曲げ傷を付けずに綺麗な仕上がりで、確実にシート１０に片２０を巻き付けることができる。
【００４３】
＜４．片巻き装置の第１の変形例の説明＞
なお、片巻き装置１は、図１１（Ａ）に示すように、巻き具が二部材で構成されるようにしても良い。例えば、二部材で構成される巻き具９０は、幅方向Ｙと略平行な回転軸９１を中心に回動自在に設けられた第１の巻き部材９２と、第１の巻き部材９２に回動自在に連結された第２の巻き部材９３とを有している。更に、巻き具９０は、図１１（Ｂ）及び図１１（Ｃ）に示すように、全体として、巻き具７０と同様に、例えば側面視略Ｃ字状又は略Ｌ字状等に設けられている。
【００４４】
そして、巻き具９０は、図１１（Ａ）に示すように、巻き具７０と同様に、機械的又は電気的な駆動操作に連動して図示しない巻き具駆動機構によって、シート１０の挿入端側の端部の一方の面１０ａに一端部が貼り付けられた片２０の他端部を第２の巻き部材９３の先端９３ａが押しながら、図１１（Ｂ）及び図１１（Ｃ）に示すように、第２の巻き部材９３の先端９３ａが、シート１０の一方の面１０ａ側からシート１０の挿入端側の端部を介して他方の面１０ｂ側に移動して、次いで、他方の面１０ｂ側において、シート１０の挿入端側の端部側からシート１０の孔１１まで移動するように回動されて、片２０の他端部を、シート１０の一方の面１０ａから他方の面１０ｂに亘って巻き付けて、シート１０の他方の面１０ｂ側からシート１０の孔１１に挿入して、シート１０に片２０を巻き付ける。
【００４５】
以上のように、片巻き装置１は、巻き具９０が二部品で構成されるものであっても、一部品で構成される巻き具７０と同様に、どのようなシートであっても、シワや折り曲げ傷を付けずに綺麗な仕上がりで、確実にシート１０に片２０を巻き付けることができる。
【００４６】
＜５．片巻き装置の第２の変形例の説明＞
更に、片巻き装置１は、パンチ部を設けても良く、別体のパンチ装置等によって予め孔１１が形成されたシート１０を使用することで、パンチ部を省略するようにしても良い。
【００４７】
＜６．片巻き装置の第３の変形例の説明＞
更に、片巻き装置１は、図１２（Ａ）に示すように、台座３０の他方の面３０ｂに、シート１０の挿入端側の端面１０ｃと当接してシート１０の位置決めを行う位置決め部材１００を設けるようにしても良い。この位置決め部材１００は、例えば、柱部材又は板部材等で構成され、巻き具７０（巻き具９０）の回動を妨げないように、幅方向Ｙにおいて、巻き具７０と位置を異ならせて設けられている。ここでは、略Ｌ字状の板部材で構成され、台座３０の他方の面３０ｂのシート挿入方向Ｘの奥側の端部に設けられている。これにより、位置決め部材１００は、高さ方向Ｚに向けて立設された当接部１００ａによって、シート１０のシート挿入方向Ｘについて位置決めを行い、当接部１００ａの上端に設けられた抑え部１００ｂによって、シート１０の挿入端側の端部の浮き上がりを防止する。
【００４８】
以上のように、片巻き装置１は、位置決め部材１００を設けることにより、シート１０を、高さ方向Ｚに加え、シート１０のシート挿入方向Ｘについても位置決めすることができるので、図１２（Ｂ）に示すように、どのようなシートであっても、シワや折り曲げ傷を付けずに綺麗な仕上がりで、確実にシート１０に片２０を巻き付けることができる。
【００４９】
＜７．片巻き装置の第４の変形例の説明＞
更に、片巻き装置１は、図１３（Ａ）に示すように、巻き具７０（巻き具９０）と、片送り出し部４０（図１３では不図示）と、シート１０の挿入端側の端面１０ｃと当接してシート１０の位置決めを行う位置決め部材１１０とを備え、台座３０、押圧部８０等を省略するようにしても良い。この位置決め部材１１０は、例えば、柱部材又は板部材等で構成され、巻き具７０の回動を妨げないように、幅方向Ｙにおいて、巻き具７０と位置を異ならせて設けられている。ここでは、柱部材で構成され、巻き具７０の上方に設けられている。このような片巻き装置１であっても、図１３（Ｂ）に示すように、孔１１を有するシート１０に片２０を巻き付けることができる。
【００５０】
＜８．片巻き装置の第５の変形例の説明＞
更に、片巻き装置１は、図１４（Ａ）に示すように、少なくとも巻き具７０（巻き具９０）と、片送り出し部４０とを備えるものであれば良く、例えば、台座３０、押圧部８０等を省略しても良い。このような片巻き装置１であっても、図１４（Ｂ）に示すように、孔１１を有するシート１０に片２０を巻き付けることができる。
【００５１】
＜９．片巻き装置の第６の変形例の説明＞
更に、片巻き装置１は、巻き具７０（巻き具９０）だけで、孔１１を有するシート１０に片２０を巻き付けることに限定されるものではなく、図１５（Ａ）〜図１５（Ｃ）に示すように、第１の巻き具７０と第２の巻き具１２０とで、孔１１を有するシート１０に片２０を巻き付けるようにしても良い。すなわち、巻き具７０を回動させるといった、一部品一工程ではなく、第１の巻き具７０を回動させると共に第２の巻き具１２０を駆動させるといった、二部品二工程によって、孔１１を有するシート１０に片２０を巻き付けるようにしても良い。
【００５２】
第２の巻き具１２０は、図１５（Ａ）に示すように、台座３０の他方の面３０ｂ側の台座３０の貫通孔３１に対応する位置に配置されている。ここでは、第２の巻き具１２０は、シート挿入方向Ｘの奥側に傾斜して配置されている。更に、第２の巻き具１２０は、例えば、柱部材（ピン部材）等で構成されている。更に、第２の巻き具１２０は、巻き具駆動機構１２１等によって台座３０に対して近接離間可能に設けられ、台座３０の貫通孔３１に挿通可能に設けられている。
【００５３】
そして、片巻き装置１は、孔１１を有するシート１０に片２０を巻き付ける際に、先ず、図１５（Ｂ）に示すように、巻き具７０を回動させることで、巻き具７０によって、シート１０の一方の面１０ａに取り付けられた片２０の他端部をシート１０の一方の面１０ａから他方の面１０ｂに亘って巻き付ける。次いで、片巻き装置１は、図１５（Ｃ）に示すように、第２の巻き具１２０を台座３０に近接するように移動させて、第２の巻き具１２０によって、片２０の他端部をシート１０の他方の面１０ｂからシート１０の孔１１に挿入させる。以上のようにして、片巻き装置１は、二部品二工程で孔１１を有するシート１０に片２０を巻き付けるようにしても良い。
【００５４】
更に、片巻き装置１は、図１５（Ｂ）に示すように、巻き具７０による片２０の他端部の巻き付けが完了した後に、第２の巻き具１２０を台座３０に近接するように移動させて、片２０の他端部をシート１０の他方の面１０ｂからシート１０の孔１１に挿入させることに限定されるものではなく、図１５（Ｄ）に示すように、巻き具７０によって片２０の他端部をシート１０の他方の面１０ｂに巻き付けている際に、第２の巻き具１２０を台座３０に近接するように移動させて、片２０の他端部をシート１０の他方の面１０ｂからシート１０の孔１１に挿入させるようにしても良い。
【００５５】
＜１０．片巻き装置の第７の変形例の説明＞
更に、片巻き装置１は、図１６（Ａ）〜図１６（Ｃ）に示すように、巻き具７０をシート１０の一方の面１０ａ側から他方の面１０ｂ側に移動可能に設けるようにしても良い。
【００５６】
具板的に、先ず、巻き具７０は、図１６（Ａ）に示すような、シート１０の一方の面１０ａ側に配置され且つ先端７０ａがシート１０の一方の面１０ａ側に位置する第１の待機状態から、機械的又は電気的な駆動操作に連動して図示しない巻き具駆動機構によって回動されて、図１６（Ｂ）に示すように、先端７０ａがシート１０の挿入端側の端部の一方の面１０ａに一端部が貼り付けられた片２０の他端部を押しながら、シート１０の一方の面１０ａ側からシート１０の挿入端側の端部を介して他方の面１０ｂ側に移動する。これにより、巻き具７０は、片２０の他端部を、シート１０の一方の面１０ａからシート１０の挿入端側の端部を介して他方の面１０ｂに亘って巻き付ける。次いで、巻き具７０は、図示しない巻き具駆動機構によって逆方向に回動されて、第１の待機状態に戻される。
【００５７】
次いで、巻き具７０は、第１の待機状態から、図示しない巻き具移動機構によって、図１６（Ｂ）に示すように、例えば回転軸７１がシート１０の一方の面１０ａ側から他方の面１０ｂ側に移動されることで、シート１０の他方の面１０ａ側に配置され且つ先端７０ａがシート１０の他方の面１０ａ側に位置する第２の待機状態に設けられる。この際、巻き具７０は、例えば、回転軸７１を中心に第１の待機状態から所定角度回動されながら、回転軸７１がシート１０から迂回するように円弧状やＵ字状やコ字状に移動される。例えば、巻き具７０は、これに限定されるものではないが、回転軸７１を中心に第１の待機状態から１８０度回動されながら回転軸７１が円弧状に移動されて、任意の点を中心に点対象の位置に移動される。
【００５８】
次いで、シート１０の他方の面１０ｂ側に移動された巻き具７０は、第２の待機状態から、図示しない巻き具駆動機構によって回動されて、先端７０ａが一方の面１０ａから他方の面１０ｂに亘って巻き付けられた片２０の他端部を押しながら、図１６（Ｃ）に示すように、シート１０の他方の面１０ｂ側からシート１０の孔１１を介して一方の面１０ａ側に移動する。これにより、巻き具７０は、片２０の他端部を、シート１０の他方の面１０ｂ側からシート１０の孔１１を介して一方の面１０ａに亘って巻き付ける。次いで、巻き具７０は、図示しない巻き具駆動機構によって逆方向に回動されて第２の待機状態に戻され、その後、図示しない巻き具移動機構によってシート１０の他方の面１０ｂ側から一方の面１０ａ側に移動されて第１の待機状態に戻される。
【００５９】
以上のように、片巻き装置１は、巻き具７０がシート１０の一方の面１０ａ側から他方の面１０ｂ側に移動可能に設けられるものであっても、シワや折り曲げ傷を付けずに綺麗な仕上がりで、確実にシート１０に片２０を巻き付けることができる。
【００６０】
なお、巻き具７０は、シート１０の一方の面１０ａ側にある際に、片２０の他端部を、シート１０の一方の面１０ａからシート１０の挿入端側の端部及び他方の面１０ｂを介して孔１１に亘って巻き付けて、その後、シート１０の他方の面１０ａ側に移動された際に、片２０の他端部を、シート１０の孔１１から一方の面１０ａに亘って巻き付けるようにしても良い。
【００６１】
また、巻き具７０は、シート１０の一方の面１０ａに取り付けられた片２０を、シート１０の一方の面１０ａから他方の面１０ｂに亘って巻き付けた後、シート１０の一方の面１０ａ側から他方の面１０ｂ側に移動させて、シート１０の他方の面１０ｂから孔１１に挿入させることに限定されるものではなく、図１７（Ａ）〜図１７（Ｃ）に示すように、シート１０の一方の面１０ａ側から他方の面１０ｂ側に移動させつつ、シート１０の一方の面１０ａに取り付けられた片２０を、シート１０の一方の面１０ａから他方の面１０ｂに亘って巻き付けて、シート１０の他方の面１０ｂから孔１１に挿入させるようにしても良い。
【００６２】
具体的に、先ず、巻き具７０は、図１７（Ａ）に示すような第１の待機状態から、図示しない巻き具移動機構によって、図１７（Ｂ）に示すように、シート１０の一方の面１０ａ側から他方の面１０ｂ側に移動させる。それと同時に、巻き具７０は、図示しない巻き具駆動機構によって回動され、図１７（Ｂ）に示すように、先端７０ａがシート１０の挿入端側の端部の一方の面１０ａに一端部が貼り付けられた片２０の他端部を押しながら、シート１０の一方の面１０ａ側からシート１０の挿入端側の端部を介して他方の面１０ｂ側に移動し、他方の面１０ｂ側において、シート１０の挿入端側の端部側からシート１０の孔１１まで移動する。更に、巻き具７０は、図１７（Ｃ）に示すように、先端７０ａがシート１０の孔１１からシート１０の一方の面１０ａ側に移動する。これらの一連の動きによって、巻き具７０は、片２０の他端部を、シート１０の一方の面１０ａからシート１０の挿入端側の端部を介して他方の面１０ｂに亘って巻き付け、その後、シート１０の他方の面１０ｂ側からシート１０の孔１１を介して一方の面１０ａに亘って巻き付ける。次いで、巻き具７０は、図示しない巻き具移動機構及び図示しない巻き具駆動機構によって逆方向に回動されて、第１の待機状態に戻される。
【００６３】
以上のように、片巻き装置１は、巻き具７０をシート１０の一方の面１０ａ側から他方の面１０ｂ側に移動可能に設けると共に、シート１０の一方の面１０ａから他方の面１０ｂに移動させつつ回転軸７１を中心に回動させてシート１０に片２０を巻き付けるものであっても、シワや折り曲げ傷を付けずに綺麗な仕上がりで、確実にシート１０に片２０を巻き付けることができる。
【００６４】
＜１１．片巻き装置の第８の変形例の説明＞
更に、片巻き装置１は、シート１０に片２０を巻き付ける際に、先端７０ａが片２０を押しながらシート１０の挿入端側の端部側からシート１０の孔１１まで移動するように回動する巻き具７０の代わりに、図１８（Ａ）〜図１８（Ｃ）に示すように、シート１０に片２０を巻き付ける際に、先端１３０ａが片２０を押しながらシート１０の孔１１からシート１０の挿入端側の端部側まで移動するように回動する巻き具１３０を備えるようにしても良い。
【００６５】
この巻き具１３０は、図１８（Ａ）に示すように、シート１０の一方の面１０ａ側のシート挿入方向Ｘの奥側に、先端１３０ａをシート挿入方向Ｘの手前側に向けて配置されることと、回動方向が異なる以外は巻き具７０とほぼ同じ構成を有する。そして、巻き具１３０は、巻き具７０の先端７０ａが、シート１０の一方の面１０ａ側、挿入端側の端部側、他方の面１０ｂ側、孔１１の順に移動していたのに対して、先端１３０ａが、一方の面１０ａ側、孔１１、他方の面１０ｂ側、挿入端側の端部側の順に移動する。
【００６６】
具体的に、先ず、巻き具１３０は、図１８（Ａ）に示すような、シート１０の一方の面１０ａ側に配置され且つ先端１３０ａがシート１０の一方の面１０ａ側に位置する待機状態から、機械的又は電気的な駆動操作に連動して図示しない巻き具駆動機構によって回動されて、図１８（Ｂ）に示すように、先端１３０ａがシート１０の挿入端側の端部の一方の面１０ａに貼り付けられた片２０の一端部を押しながら、シート１０の一方の面１０ａ側からシート１０の孔１１を介して他方の面１０ｂ側に移動する。更に、巻き具７０は、図１８（Ｃ）に示すように、他方の面１０ｂ側において、先端１３０ａがシート１０の孔１１からシート１０の挿入端側の端部側まで移動する。これらの一連の動きによって、巻き具１３０は、片２０の一端部を、シート１０の一方の面１０ａから孔１１を介して他方の面１０ｂに３面に亘って巻き付ける。次いで、巻き具１３０は、図示しない巻き具駆動機構によって逆方向に回動されて待機状態に戻される。
【００６７】
以上のように、片巻き装置１は、シート１０に片２０を巻き付ける際に、先端１３０ａが片２０を押しながらシート１０の孔１１からシート１０の挿入端側の端部側まで移動するように回動する巻き具１３０を備えるものであっても、シワや折り曲げ傷を付けずに綺麗な仕上がりで、確実にシート１０に片２０を巻き付けることができる。
【００６８】
なお、片巻き装置１は、図１９（Ａ）〜図１９（Ｃ）に示すように、シート１０に片２０を巻き付ける際に、先端１３０ａが片２０を押しながらシート１０の孔１１からシート１０の挿入端側の端部側まで移動するように回動する巻き具１３０を備えると共に、巻き具１３０とは回動方向が異なり、シート１０に片２０を巻き付ける際に、先端７０ａが片２０を押しながらシート１０の挿入端側の端部側からシート１０の孔１１まで移動するように回動する巻き具７０を備えるようにしても良い。
【００６９】
具体的に、先ず、巻き具１３０は、図１９（Ａ）に示すような、シート１０の一方の面１０ａ側に配置され且つ先端１３０ａがシート１０の一方の面１０ａ側に位置する待機状態から、図示しない巻き具駆動機構によって回動されて、図１９（Ｂ）に示すように、先端１３０ａがシート１０の挿入端側の端部の一方の面１０ａに貼り付けられた片２０の一端部を押しながら、シート１０の一方の面１０ａ側からシート１０の孔１１を介して他方の面１０ｂ側又はシート１０の挿入端側の端部側まで移動する。これにより、巻き具１３０は、片２０の一端部を、シート１０の一方の面１０ａから孔１１を介して他方の面１０ｂに亘って巻き付ける。次いで、巻き具１３０は、図示しない巻き具駆動機構によって逆方向に回動されて、待機状態に戻される。
【００７０】
次いで、巻き具７０は、図１９（Ｂ）に示すような、シート１０の一方の面１０ａ側に配置され且つ先端７０ａがシート１０の一方の面１０ａ側に位置する待機状態から、図示しない巻き具駆動機構によって回動されて、図１９（Ｃ）に示すように、先端７０ａが片２０の他端部を押しながらシート１０の一方の面１０ａ側からシート１０の挿入端側の端部を介して他方の面１０ｂ側又はシート１０の孔１１まで移動する。これにより、巻き具７０は、片２０の他端部を、シート１０の一方の面１０ａからシート１０の挿入端側の端部を介して他方の面１０ｂに亘って巻き付ける。その後、巻き具７０は、図示しない巻き具駆動機構によって逆方向に回動されて、待機状態に戻される。
【００７１】
以上のように、片巻き装置１は、先端１３０ａが片２０を押しながらシート１０の孔１１からシート１０の挿入端側の端部側まで移動するように回動する巻き具１３０と、巻き具１３０とは回動方向が異なり、先端７０ａが片２０を押しながらシート１０の挿入端側の端部側からシート１０の孔１１まで移動するように回動する巻き具７０とを備えるものであっても、シワや折り曲げ傷を付けずに綺麗な仕上がりで、確実にシート１０に片２０を巻き付けることができる。
【００７２】
なお、片巻き装置１は、巻き具１３０を回動させた後に巻き具７０を回動させることに限定されるものではなく、巻き具７０を回動させた後に巻き具１３０を回動させるようにしても良い。また、片巻き装置１は、先に回動させた一方の巻き具が完全に待機状態に戻る前に他方の巻き具を回動させるようにしても良い。
【符号の説明】
【００７３】
１  片巻き装置、１ａ  シート挿入口、１０  シート、１０ａ  一方の面、１０ｂ  他方の面、１０ｃ  端面、１０ｄ  角部、１０ｅ  角部、１１  孔、１１ａ  孔縁端面、２０  片、２０ｂ  他方の面、２１  粘着層、２２  剥離紙、２３  帯状体、２４  係合孔、３０  台座、３０ａ  一方の面、３０ｂ  他方の面、３１  貫通孔、４０  片送り出し部、４１  片搬送路、４１ａ  排出口、４２  剥離紙搬送路、７０  巻き具、７０ａ  先端、７０ｂ  基端側押圧部、７０ｃ  先端側押圧部、７１  回転軸、８０  押圧部、９０  巻き具、９１  回転軸、９２  第１の巻き部材、９３  第２の巻き部材、９３ａ  先端、１００  位置決め部材、１００ａ  当接部、１００ｂ  抑え部、１１０  位置決め部材、１２０  第２の巻き具、１２１  巻き具駆動機構、１３０  巻き具、１３０ａ  先端
【図１】
2014193610.tif 000003
【図２】
2014193610.tif 000004
【図３】
2014193610.tif 000005
【図４】
2014193610.tif 000006
【図５】
2014193610.tif 000007
【図６】
2014193610.tif 000008
【図７】
2014193610.tif 000009
【図８】
2014193610.tif 000010
【図９】
2014193610.tif 000011
【図１０】
2014193610.tif 000012
【図１１】
2014193610.tif 000013
【図１２】
2014193610.tif 000014
【図１３】
2014193610.tif 000015
【図１４】
2014193610.tif 000016
【図１５】
2014193610.tif 000017
【図１６】
2014193610.tif 000018
【図１７】
2014193610.tif 000019
【図１８】
2014193610.tif 000020
【図１９】
2014193610.tif 000021